(57)【要約】【課題】映像信号を圧縮することなく、パネル側の水平シフトレジスタのスキャン方式の変更だけでサイドブラック表示を行うことができると共に、サイドブラック表示部の中の輝度差を減少させて表示品位を向上させる。【解決手段】４：３表示部に対応する分割シフトレジスタＤＳＲ５のシフトレジスタユニットを２１９段から２２０段という偶数段とした。このように水平シフトレジスタＨＳＲを構成することで、左サイド部、右サイド部の分割シフトレジスタＤＳＲ１〜ＤＳＲ４，ＤＳＲ６〜ＤＳＲ９の初段のシフトレジスタユニットはいずれも奇数段目となり、各初段のシフトレジスタユニットにおいて、水平転送クロックＣＫＨ１，ＣＫＨ２の位相が同じになる。【選択図】図１
2008090127.tif 000002
【特許請求の範囲】
【請求項１】
左サイド部、中央部、右サイド部に分割され、左サイド部、右サイド部はさらに複数に分割されて複数の分割シフトレジスタを形成し、水平スタート信号を水平転送クロックに基づき転送する水平シフトレジスタと、
この水平シフトレジスタの出力に応じてスイッチングし、映像信号を対応するデータラインに転送する複数の水平スイッチと、
データラインに転送された映像信号が書き込まれる画素と、
前記水平シフトレジスタを広範囲表示モードと狭範囲表示モードの２つに切り換えるスイッチを備え、
広範囲表示モードにおいては、表示期間において水平シフトレジスタの初段から最終段まで水平スタート信号を転送し、
狭範囲表示モードにおいては、水平帰線期間において前記水平シフトレジスタの左サイド部と右サイド部の複数の分割シフトレジスタにそれぞれ水平スタート信号を転送すると共に、映像信号としてサイド表示用信号を供給し、その後の表示期間において、前記水平シフトレジスタの中央部にのみ水平スタート信号を転送し、
前記水平シフトレジスタの左サイド部と右サイド部において、複数の分割シフトレジスタの初段に印加される水平転送クロックの位相が同じであることを特徴とする表示装置。
【請求項２】
前記水平シフトレジスタの左サイド部、中央部、右サイド部において複数の分割シフトレジスタを構成するシフトレジスタユニットの数がいずれも偶数であることを特徴とする請求項１に記載の表示装置。
【請求項３】
前記複数の水平スイッチがそれぞれ別々の期間にオンするように、水平シフトレジスタの出力と基準クロックの論理積をとる論理積回路を備えることを特徴とする請求項１に記載の表示装置。
【請求項４】
前記基準クロックが前記水平転送クロックであることを特徴とする請求項３に記載の表示装置。
【請求項５】
前記水平スイッチは、広範囲表示モードにおいては水平シフトレジスタの出力に応じてスイッチングし、狭範囲表示モードにおいては水平シフトレジスタの出力と水平転送クロックの論理積に応じてスイッチングするように切り換える切り換え回路を備えることを特徴とする請求項１に記載の表示装置。
【請求項６】
前記水平シフトレジスタの左サイド部、右サイド部において複数の分割シフトレジスタの数が同じであり、かつ各分割シフトレジスタを構成するシフトレジスタユニットの数も同じであることを特徴とする請求項１、２、３、４に記載の表示装置。
【請求項７】
前記分割シフトレジスタはダミーのシフトレジスタユニットを備え、かつこのダミーのシフトレジスタユニットの出力に応じてスイッチングする水平スイッチにダミーのドレインライン又はドレインラインに相当する負荷を接続したことを特徴とする請求項６に記載の表示装置。
【発明の詳細な説明】
【技術分野】
【０００１】
本発明は、広範囲表示モードにおいては画面において広範囲表示を行い、狭範囲表示モードにおいては画面の左右両サイドに黒帯（サイドブラック）を表示して画面の中央部に狭範囲表示を行う表示装置に関する。
【背景技術】
【０００２】
近年、アクティブマトリクス型の液晶表示パネルはテレビジョンやビデオカメラの電子ビューファインダー等に広く用いられている。そして、ハイビジョン方式に対応するため、液晶表示パネルの画面のアスペクト比（縦横比）１６：９のワイドパネルが開発されている。このようなワイドパネルにおいて、標準テレビジョン方式に対応したアスペクト比４：３の表示を行う場合、画面の左右両サイドに黒帯（サイドブラック）を表示して画面の中央部にアスペクト比４：３の表示が行われるのが一般的である。
【０００３】
このサイドブラック表示を実現するために、液晶表示パネルを駆動する駆動ＩＣ側で映像信号を圧縮して液晶表示パネルに転送していた。この種の液晶表示パネルについては特許文献１に記載されている。
【０００４】
しかしながら、駆動ＩＣ側で映像信号を圧縮するという方式においては、駆動ＩＣ側の回路規模が大きくなりコスト高を招いていた。そこで、駆動ＩＣ側をそのままにして液晶表示パネル側の水平シフトレジスタのスキャン方式を変更するとともに、水平帰線期間に出力される黒信号を利用してサイドブラック表示を行うという液晶表示パネルが本発明者により提案された。
【０００５】
図１０は、そのような液晶表示パネルの水平シフトレジスタＨＳＲの構成を示している。
【０００６】
水平シフトレジスタＨＳＲは、分割シフトレジスタＤＳＲ１〜ＤＳＲ９の９つに分割されている。左サイド部の４つの分割シフトレジスタＤＳＲ１〜ＤＳＲ４はそれぞれ、４段、１０段、１０段、１０段のシフトレジスタユニットから構成されており、中央部の分割シフトレジスタＤＳＲ５は２１９段のシフトレジスタユニットから構成されており、右サイド部の４つの分割シフトレジスタＤＳＲ６〜ＤＳＲ９はそれぞれ、１０段、１０段、１０段、４段のシフトレジスタユニットから構成されている。各分割シフトレジスタＤＳＲ１〜ＤＳＲ９の間には切り換えスイッチＳＷ１〜ＳＷ８が設けられ、トリガ信号ＴＲによって、各分割シフトレジスタＤＳＲ１〜ＤＳＲ９を直列に接続するか、または各分割シフトレジスタＤＳＲ１〜ＤＳＲ４，ＤＳＲ６〜ＤＳＲ９の初段のシフトレジスタユニットに水平スタート信号ＳＴＨを入力するかを切り換えるようになっている。分割シフトレジスタＤＳＲ１にはトリガ信号ＴＲの状態によらず水平スタート信号ＳＴＨが入力される。
【０００７】
シフトレジスタユニットは、図１２（ａ）に示すようにクロックドインバータＣＩＮＶ１、その出力が印加されたラッチ回路からなる。ラッチ回路はインバータＩＮＶ、クロックドインバータＣＩＮＶ２のループで構成されている。クロックドインバータＣＩＮＶ１については、図１２（ｂ）に示すようにＰＭＯＳ（ＭＰ）のゲートに、一定周期でＨレベル、Ｌレベルを繰り返す信号である水平転送クロックＣＫＨ１が印加され、ＮＭＯＳ（ＭＮ）のゲートに、水平転送クロックＣＫＨ１の反転クロックである水平転送クロックＣＫＨ２が印加されている。一方、クロックドインバータＣＩＮＶ２については、逆に、ＰＭＯＳ（ＭＰ）のゲートに水平転送クロックＣＫＨ２が印加され、ＮＭＯＳ（ＭＮ）のゲートに水平転送クロックＣＫＨ１が印加されている。
【０００８】
クロックドインバータＣＩＮＶ１，ＣＩＮＶ２は相補的にスイッチングし、水平転送クロックＣＫＨ１がロウの時はクロックドインバータＣＩＮＶ１がインバータとして働き、クロックドインバータＣＩＮＶ２はハイインピーダンス状態となり、水平転送クロックＣＫＨ１がハイの時はクロックドインバータＣＩＮＶ２がインバータとして働き、クロックドインバータＣＩＮＶ１はハイインピーダンス状態となる。分割シフトレジスタＤＳＲ１〜ＤＳＲ９は上記のシフトレジスタユニットが直列に接続されて構成され、隣接する２つのシフトレジスタユニットに印加される水平転送クロックＣＫＨ１，ＣＨＫ２の関係は逆になっている。
【０００９】
図１３は水平シフトレジスタＨＳＲとドレインラインの接続関係を示す図である。この図では分割シフトレジスタの一部を示しており、３つのシフトレジスタユニットＳＲ１，ＳＲ２，ＳＲ３が直列接続されている。また、ＲＧＢの３原色に対応した映像信号が供給される３本の映像ラインＶＬ（Ｂ），ＶＬ（Ｒ），ＶＬ（Ｇ）が設けられている。
【００１０】
映像ラインＶＬ（Ｂ）に着目すると、これは対応する水平スイッチＨＳＷ１（Ｂ），ＨＳＷ２（Ｂ），ＨＳＷ３（Ｂ）を介してデータラインＤＬ１（Ｂ），ＤＬ２（Ｂ），ＤＬ３（Ｂ）に接続されている。水平スイッチＨＳＷ１（Ｂ），ＨＳＷ２（Ｂ），ＨＳＷ３（Ｂ）はＣＭＯＳのトランスファゲートで構成されている。データラインＤＬ１（Ｂ），ＤＬ２（Ｂ），ＤＬ３（Ｂ）にはそれぞれ不図示の画素が接続されている。
【００１１】
そして、水平スイッチＨＳＷ１（Ｂ），ＨＳＷ２（Ｂ），ＨＳＷ３（Ｂ）にはシフトレジスタユニットＳＲ１，ＳＲ２，ＳＲ３の出力が印加され、それらのオンオフを制御している。他の映像ラインＶＬ（Ｒ），ＶＬ（Ｇ）についても全く同様である。
【００１２】
このような水平シフトレジスタＨＳＲにおいて、映像信号が１６：９の広範囲表示のための信号であれば、図１０に示すようにトリガ信号ＴＲによって、切り換えスイッチＳＷ１〜ＳＷ８は隣接する分割シフトレジスタ同士を接続する。これによって、水平シフトレジスタＨＳＲは、１段目のシフトレジスタユニットＳＲ１に水平スタート信号ＳＴＨが入力され、これを最終段である２８７段目のシフトレジスタユニットＳＲ２８７まで順次転送する通常のシフトレジスタとして動作する。そして、各シフトレジスタユニットの出力によって水平スイッチが順次オンし、映像信号が対応するデータラインに供給される。したがって、図１４（ａ）のように、１６：９のワイドパネルの画面全体に表示が行われる。
【００１３】
一方、映像信号が４：３の狭範囲表示のための信号であれば、図１１に示すように、トリガ信号ＴＲによって、切り換えスイッチＳＷ１〜ＳＷ８は、切り換えスイッチＳＷ４を除き、水平スタート信号ＳＴＨを選択する。これにより、分割シフトレジスタＤＳＲ１〜ＤＳＲ４，ＤＳＲ６〜ＤＳＲ９の初段のシフトレジスタユニットに水平スタート信号ＳＴＨが入力される。水平スタート信号ＳＴＨは、４：３の映像信号の水平帰線期間中にＨレベルとなり、表示期間前にＬレベルに立ち下がる信号であり、このタイミングを考慮して、分割シフトレジスタＤＳＲ１〜ＤＳＲ４，ＤＳＲ６〜ＤＳＲ９はこの水平スタート信号ＳＴＨを並行して転送する。
【００１４】
水平帰線期間中においては、映像信号は直流の黒レベルに固定されている。したがって、水平帰線期間中に、分割シフトレジスタＤＳＲ１〜ＤＳＲ４，ＤＳＲ６〜ＤＳＲ９に対応するデータラインに黒が書き込まれる。その後、表示期間においては、分割シフトレジスタＤＳＲ４からの水平スタート信号ＳＴＨが４：３表示部に対応する分割シフトレジスタＤＳＲ５に転送される。水平スタート信号ＳＴＨは分割シフトレジスタＤＳＲ５の２１９段のシフトレジスタユニットによって順次転送される。そして、各シフトレジスタユニットの出力によって水平スイッチが順次オンし、映像信号が対応するデータラインに供給される。したがって、図１４（ｂ）のように、１６：９のワイドパネルの画面の左右両サイドにサイドブラック表示が行われ、中央部に４：３の表示が行われる。
【特許文献１】特開平７−１７３６１５号公報
【発明の開示】
【発明が解決しようとする課題】
【００１５】
上述の表示装置においては、水平スイッチＨＳＷがオンすると映像ラインＶＬから映像信号がデータラインＤＬに転送される。ここで、水平スイッチＨＳＷがオンする時、一般に映像ラインＶＬとデータラインＤＬの間に電位差があるために、その電位差の影響で映像ラインＶＬの電位が一瞬変動する現象が起こる。以降、この映像ラインＶＬの電位の変動を「電位変動」と呼び、その変動の量を「電位変動量」と呼ぶことにする。映像ラインＶＬはＩＣ側のアンプで駆動されているので、この電位変動量は水平スイッチＨＳＷがオンしている期間に減衰するが、水平スイッチＨＳＷがオフしてデータラインＤＬが映像信号をサンプリングする際のサンプリング電位に影響を与える。
【００１６】
サイドブラック表示において、水平帰線期間中、映像ラインＶＬには映像信号として黒レベルが供給される。しかし、水平スイッチＨＳＷがオンすることにより生じる映像ラインＶＬの電位変動量の差により、サンプリング電位がデータライン毎に変動し、サイドブラック表示部の中で輝度差が生じてしまうという問題があった。
【課題を解決するための手段】
【００１７】
本発明の表示装置は、左サイド部、中央部、右サイド部に分割され、左サイド部、右サイド部はさらに複数に分割されて複数の分割シフトレジスタを形成し、水平スタート信号を水平転送クロックに基づき転送する水平シフトレジスタと、この水平シフトレジスタの出力に応じてスイッチングし、映像信号を対応するデータラインに転送する複数の水平スイッチと、データラインに転送された映像信号が書き込まれる画素と、前記水平シフトレジスタを広範囲表示モードと狭範囲表示モードの２つに切り換えるスイッチを備え、広範囲表示モードにおいては、表示期間において水平シフトレジスタの初段から最終段まで水平スタート信号を転送し、狭範囲表示モードにおいては、水平帰線期間において前記水平シフトレジスタの左サイド部と右サイド部の複数の分割シフトレジスタにそれぞれ水平スタート信号を転送すると共に、映像信号としてサイド表示用信号を供給し、その後の表示期間において、前記水平シフトレジスタの中央部にのみ水平スタート信号を転送し、前記水平シフトレジスタの左サイド部と右サイド部において、複数の分割シフトレジスタの初段に印加される水平転送クロックの位相が同じであることを特徴とするものである。
【発明の効果】
【００１８】
本発明の表示装置によれば、映像信号を圧縮することなく、パネル側の水平シフトレジスタのスキャン方式の変更だけでサイドブラック表示を行うことができると共に、サイドブラック表示部の中の輝度差を減少させて表示品位を向上させることができる。
【発明を実施するための最良の形態】
【００１９】
以下で、本発明の実施の形態について図面を参照しながら説明する。
【００２０】
図１は、第１の実施の形態による水平シフトレジスタＨＳＲを示している。図１０、図１１の水平シフトレジスタＨＳＲと異なる点は、４：３表示部に対応する分割シフトレジスタＤＳＲ５のシフトレジスタユニットを２１９段から２２０段という偶数段にした点である。その他の水平シフトレジスタＨＳＲの構成については、図１０、図１１、図１２の回路と同じであり、水平シフトレジスタＨＳＲと水平スイッチＨＳＷ、データラインＤＬ等の関係についても図１３の回路と同じである。
【００２１】
このように水平シフトレジスタＨＳＲを構成することで、左サイド部、右サイド部の分割シフトレジスタＤＳＲ１〜ＤＳＲ４，ＤＳＲ６〜ＤＳＲ９の初段のシフトレジスタユニットはいずれも奇数段目となり、各初段のシフトレジスタユニットにおいて、水平転送クロックＣＫＨ１，ＣＫＨ２の位相が同じになる。これにより、左サイド部、右サイド部において、水平スイッチＨＳＷが同じタイミングでオンするので、映像ラインＶＬに生じる電位変動量の差が小さくなり、サイドブラック表示部の中の輝度差を減少させて表示品位を向上することができる。
【００２２】
図２は、この水平シフトレジスタＨＳＲの動作タイミング図である。この例では、水平スタート信号ＳＴＨのパルス幅は、水平転送クロックＣＫＨ１，ＣＫＨ２の１周期分である。左サイド部、右サイド部の分割シフトレジスタＤＳＲ１〜ＤＳＲ４，ＤＳＲ６〜ＤＳＲ９を構成するシフトレジスタユニットＳＲ１〜ＳＲ１０の出力は、水平転送クロックＣＫＨ１，ＣＫＨ２の立ち上がり又は立ち下がりに同期し、水平スタート信号ＳＴＨを半周期ずつシフトして転送していく。
【００２３】
水平スイッチＨＳＷは、対応するシフトレジスタユニットＳＲ１〜ＳＲ１０の出力がＨレベルになるとオンする。この動作タイミングによれば、ある水平スイッチＨＳＷがオンしている期間中に、他の水平スイッチＨＳＷがオンすることになる。
【００２４】
したがって、水平スイッチＨＳＷがオンすることにより生じる映像ラインＶＬの電位変動量は、他の水平スイッチＨＳＷがオンする際に生じる電位変動量を加算したものである。例えば、第１列に対応するデータラインＤＬ１については、シフトレジスタユニットＳＲ１の出力がＬレベルに立ち下がる際に、対応する水平スイッチＨＳＷ１がオフしてその電位が確定するが、その半周期前にシフトレジスタユニットＳＲ２の出力がＨレベルに立ち上がり、それに対応する水平スイッチＨＳＷ２がオンする。そのような水平スイッチＨＳＷ２の数は、分割シフトレジスタＤＳＲ１〜ＤＳＲ４，ＤＳＲ６〜ＤＳＲ９に対応して８個あるので、電位変動量は水平スイッチ１個分の電位変動量の８倍となる。第２列〜第３列についても同様に８倍であるが、第４列については６倍となる。
【００２５】
これは、分割シフトレジスタＤＳＲ１、ＤＳＲ９のシフトレジスタユニットが４つしかないからである。つまり、第４列については、シフトレジスタユニットＳＲ５の出力の立ち上がりを受けてオンする水平スイッチＨＳＷ５が電位変動量に関係するが、分割シフトレジスタＤＳＲ１、ＤＳＲ９に対応する水平スイッチＨＳＷ５がないからである。第５列〜第９列も同様に６倍の電位変動量になる。したがって、分割シフトレジスタＤＳＲ１〜ＤＳＲ４，ＤＳＲ６〜ＤＳＲ９のシフトレジスタユニットの段数を同じ１０段にすれば、第１列から第９列について電位変動量は８倍ということになる。
【００２６】
第１０列については、電位変動量は１倍となる。これは、第１０列については、シフトレジスタユニットＳＲ１１の出力の立ち上がりを受けてオンする水平スイッチＨＳＷ１１が電位変動量に関係するが、そのようなシフトレジスタユニットＳＲ１１は４：３表示部に対応する分割シフトレジスタＤＳＲ５の中に１つだけあるので、水平スイッチＨＳＷ１１も１個しかないからである。
【００２７】
図１０、図１１の水平シフトレジスタＨＳＲにおいては、左サイド部の４つの分割シフトレジスタＤＳＲ１〜ＤＳＲ４の各初段のシフトレジスタユニットは奇数段目であるのに対して、右サイド部の４つの分割シフトレジスタＤＳＲ６〜ＤＳＲ９の各初段のシフトレジスタユニットＳＲ０は偶数段目となる。例えば、分割シフトレジスタＤＳＲ１の初段のシフトレジスタユニットは１段目であるが、右サイド部の分割シフトレジスタＤＳＲ６の初段のシフトレジスタユニットは２５４段目となる。
【００２８】
すると、左サイド部の４つの分割シフトレジスタＤＳＲ１〜ＤＳＲ４の各初段のシフトレジスタユニットＳＲ１に入力される水平転送クロックＣＫＨ１，ＣＫＨ２の位相と、右サイド部の４つの分割シフトレジスタＤＳＲ６〜ＤＳＲ９の各初段のシフトレジスタユニットＳＲ０に入力される水平転送クロックＣＫＨ１，ＣＫＨ２の位相が逆になる。そのため、左サイド部、右サイド部で水平スイッチＨＳＷのオンするタイミングにずれが生じる。
【００２９】
すなわち、図１５に示すように、右サイド部の４つの分割シフトレジスタＤＳＲ６〜ＤＳＲ９の各初段のシフトレジスタユニットＳＲ０は、水平スタート信号ＳＴＨをそのまま出力し、それに応じて対応する水平スイッチＨＳＷがオンすることになる。一方、左サイド部の４つの分割シフトレジスタＤＳＲ１〜ＤＳＲ４の各初段のシフトレジスタユニットＳＲ１は、水平スタート信号ＳＴＨを水平転送クロックＣＫＨの立ち上がりに基づいて転送する。これにより、本実施形態の表示装置に比して映像ラインＶＬに生じる電位変動量の差が大きくなる。
【００３０】
なお、上記説明の理解を助けるために、水平シフトレジスタＨＳＲにおいて、水平スタート信号ＳＴＨが奇数段目のシフトレジスタユニットＳＲ１に入力された場合の動作波形図を図１６に示す。シフトレジスタユニットＳＲ１〜ＳＲ５の回路図において、ラッチ回路は省略されている。また、水平スタート信号ＳＴＨが偶数段目のシフトレジスタユニットＳＲ０に入力された場合の動作波形図を図１７に示す。
【００３１】
本実施形態では、水平スタート信号ＳＴＨのパルス幅は、水平転送クロックＣＫＨ１，ＣＫＨ２の１周期分としているが、それ以上であってもよい。また、４：３表示部に対応する分割シフトレジスタＤＳＲ５のシフトレジスタユニットの数を偶数にしたが、分割シフトレジスタのＤＳＲ１〜ＤＳＲ４，ＤＳＲ６〜ＤＳＲ９の初段のシフトレジスタユニットにおいて、水平転送クロックＣＫＨ１，ＣＫＨ２の位相が同じに設定されていれば、４：３表示部に対応する分割シフトレジスタＤＳＲ５のシフトレジスタユニットの数は偶数でなくてもよい。
【００３２】
第２の実施の形態
水平シフトレジスタＨＳＲは、図３に示すように、分割シフトレジスタＤＳＲ１〜ＤＳＲ７の７つに分割されている。左サイド部の３つの分割シフトレジスタＤＳＲ１〜ＤＳＲ３はそれぞれ６段のシフトレジスタユニットから構成されており、中央部の４：３表示部に対応した分割シフトレジスタＤＳＲ４は、第１の実施の形態と同様に偶数段である、１５２段のシフトレジスタユニットから構成されており、右サイド部の３つの分割シフトレジスタＤＳＲ５〜ＤＳＲ７もそれぞれ６段のシフトレジスタユニットから構成されている。
【００３３】
各分割シフトレジスタＤＳＲ１〜ＤＳＲ７の間には切り換えスイッチＳＷ１〜ＳＷ６が設けられ、トリガ信号ＴＲによって、各分割シフトレジスタＤＳＲ１〜ＤＳＲ７を直列に接続するか、または各分割シフトレジスタＤＳＲ１〜ＤＳＲ３，ＤＳＲ５〜ＤＳＲ７の初段のシフトレジスタユニットに水平スタート信号ＳＴＨを入力するかを切り換えるようになっている。分割シフトレジスタＤＳＲ１にはトリガ信号ＴＲの状態によらず水平スタート信号ＳＴＨが入力される。
【００３４】
水平シフトレジスタＨＳＲにおいて、図４に示すように、奇数段目のシフトレジスタユニットＳＲ１，ＳＲ３，ＳＲ５，・・・の出力と水平転送クロックＣＫＨ２とはＮＡＮＤ回路に入力され、インバータを通して論理積（ＡＮＤ回路）がとられ、ＡＮＤ回路の出力が対応する水平スイッチＨＳＷに印加される。また、偶数段目のシフトレジスタユニットＳＲ２，ＳＲ４，・・・の出力と水平転送クロックＣＫＨ１とはＮＡＮＤ回路に入力され、インバータを通して論理積（ＡＮＤ回路）がとられ、このＡＮＤ回路の出力が対応する水平スイッチＨＳＷに印加される。
【００３５】
これにより、図５のタイミング図に示すように、各シフトレジスタユニットの論理積出力ＡＳＲ１〜ＡＳＲ１１は、そのパルス期間は水平転送クロックＣＫＨ１，ＣＫＨ２の半周期となる。各シフトレジスタユニットの論理積出力ＡＳＲ１〜ＡＳＲ１１は互いに重なり合わないように重なり防止回路を設けることが好適である。
【００３６】
したがって、この回路によれば、ある水平スイッチＨＳＷがオンしている期間は他の水平スイッチＨＳＷはオンしなくなり、ある水平スイッチＨＳＷは、それ以外の水平スイッチＨＳＷがオンするときの影響をほとんど受けないようになる。
【００３７】
つまり、第１列〜第６列に対応するサイドブラック表示部のデータラインＤＬについては、映像ラインＶＬに生じる電位変動量はいずれも水平スイッチ１個分の電位変動量の６倍となる。したがって、本実施の形態によれば、第１の実施の形態に比べて、さらに電位変動量の差を小さくすることができ、サイドブラック表示部の中の輝度差をさらに減少させることができる。
【００３８】
第３の実施の形態
第２の実施の形態においては、左サイド部、右サイド部において、分割シフトレジスタの数を同じとし、さらに、分割シフトレジスタ内のシフトレジスタユニットも同じ段数とし、映像ラインＶＬに生じる電位変動量の差を無くしている。本実施の形態においては、分割シフトレジスタ内のシフトレジスタユニットの段数を同じにできない場合に、図６のように、ダミーのシフトレジスタユニットを追加したものである。
【００３９】
この例では、左サイド部の１段目の分割シフトレジスタＤＳＲ１に２段のダミー・シフトレジスタユニットを追加して６段構成とし、右サイド部の７段目の分割シフトレジスタＤＳＲ７にも２段のダミー・シフトレジスタユニットを追加して６段構成とした。そして、ダミー・シフトレジスタユニットの出力に応じてスイッチングする水平スイッチにダミーのドレインライン又はドレインラインに相当する負荷を接続することで映像ラインＶＬに生じる電位変動量を均等化することが好適である。
【００４０】
第４の実施の形態
本実施の形態による水平シフトレジスタＨＳＲは、４：３の狭範囲表示モードにおいては、第２の実施の形態のように、シフトレジスタユニットの出力と水平転送クロックＣＫＨ１又はＣＫＨ２の論理積を出力して水平スイッチＨＳＷのオンオフを制御し、１６：９の広範囲表示モードにおいては、水平シフトレジスタＨＳＲの各シフトレジスタユニット
の通常の出力で水平スイッチＨＳＷのオンオフを制御するようにしたものである。
【００４１】
つまり、４：３の狭範囲表示モードにおいては、図７に示すように、サイドブラック制御信号ＳＢがＨレベルに設定され、図４の回路と等価になる。一方、１６：９の広範囲表示モードにおいては、サイドブラック制御信号ＳＢがＬレベルに設定され、シフトレジスタユニットＳＲ１〜ＳＲ５の出力がそのまま出力されることになる。図９はこの水平シフトレジスタＨＳＲの出力波形を示している。
【００４２】
広範囲表示モードにおいては、狭範囲表示モード（サイドブラック表示）に比べて表示部のシフトレジスタの段数が多いため、それに対応するため水平転送クロックＣＫＨ１，ＣＫＨ２の周波数を狭範囲表示モード（サイドブラック表示）に比べて高くする必要がある。したがって、データラインへの映像信号の書き込み時間を長く確保するために、シフトレジスタユニットのパルス時間は水平転送クロックＣＫＨ１，ＣＫＨ２の１周期分とすることが好適である。一方、狭範囲表示モード（サイドブラック表示）においては、映像ラインＶＬに生じる電位変動量を最小にするために、シフトレジスタユニットの出力と水平転送クロックＣＫＨ１又はＣＫＨ２の論理積を出力して、水平スイッチＨＳＷのオンする期間を半分にしている。
【００４３】
なお、上述した第１乃至第４の実施形態では、水平シフトレジスタＨＳＲは、１６：９の広範囲表示モード、４：３の狭範囲表示モードのいずれにおいても、いわゆるスキャン反転が可能な構成を有していてもよい。この構成では、水平スタート信号ＳＴＨは、水平シフトレジスタＨＳＲの両サイドに入力可能である。例えば、第１の実施形態において、水平スタート信号ＳＴＨは分割シフトレジスタＤＳＲ１の初段のシフトレジスタユニットに入力可能であり、さらに、分割シフトレジスタＤＳＲ９の最後段のシフトレジスタユニットにも入力可能である。この水平シフトレジスタＨＳＲのスキャン方向は、スキャン反転信号により、左サイド部、表示部、右サイド部の順となるか、右サイド部、表示部、左サイド部の順となるように切り換わる。水平シフトレジスタＨＳＲのスキャン方向が、右サイド部、表示部、左サイド部の順である場合には、水平転送クロックＣＫＨ１，ＣＫＨ２は反転される。
【図面の簡単な説明】
【００４４】
【図１】本発明の第１の実施の形態による水平シフトレジスタの構成を示す図である。
【図２】本発明の第１の実施の形態による水平シフトレジスタの動作タイミング図である。
【図３】本発明の第２の実施の形態による水平シフトレジスタの構成を示す図である。
【図４】本発明の第２の実施の形態による水平シフトレジスタの構成の詳細を示す図である。
【図５】本発明の第２の実施の形態による水平シフトレジスタの動作タイミング図である。
【図６】本発明の第３の実施の形態による水平シフトレジスタの構成を示す図である。
【図７】本発明の第４の実施の形態による水平シフトレジスタの構成を示す図である。
【図８】本発明の第４の実施の形態による水平シフトレジスタの構成を示す図である。
【図９】本発明の第４の実施の形態による水平シフトレジスタの動作タイミング図である。
【図１０】参考例による水平シフトレジスタの構成を示す図である。
【図１１】参考例による水平シフトレジスタの構成を示す図である。
【図１２】シフトレジスタユニットの回路図である。
【図１３】シフトレジスタユニット周辺の回路構成を示す図である。
【図１４】液晶画面の構成を示す図である。
【図１５】参考例による水平シフトレジスタの動作タイミング図である。
【図１６】水平スタート信号が奇数段目に入力された場合の動作波形図である。
【図１７】水平スタート信号が偶数段目に入力された場合の動作波形図である。
【符号の説明】
【００４５】
ＨＳＲ  水平シフトレジスタ
ＤＳＲ１〜９  分割シフトレジスタ
ＳＲ１〜ＳＲ５  シフトレジスタユニット
ＶＬ（Ｂ），ＶＬ（Ｒ），ＶＬ（Ｇ）  映像ライン
【図１】
2008090127.tif 000003
【図２】
2008090127.tif 000004
【図３】
2008090127.tif 000005
【図４】
2008090127.tif 000006
【図５】
2008090127.tif 000007
【図６】
2008090127.tif 000008
【図７】
2008090127.tif 000009
【図８】
2008090127.tif 000010
【図９】
2008090127.tif 000011
【図１０】
2008090127.tif 000012
【図１１】
2008090127.tif 000013
【図１２】
2008090127.tif 000014
【図１３】
2008090127.tif 000015
【図１４】
2008090127.tif 000016
【図１５】
2008090127.tif 000017
【図１６】
2008090127.tif 000018
【図１７】
2008090127.tif 000019